(57)【要約】【課題】オスザネ突条２２の上方端面２３およびメスザネ凹溝２６の上方端面２７に同方向に傾斜した傾斜面２３ａ，２７ａをそれぞれ形成している床材１０において、当て木５０による隣接する床材１０（１０Ａ）への叩き込み時に、オスザネ部側の傾斜面２３ａの先端に破損を生じさせないようにする。【解決手段】上記床材１０において、オスザネ突条２２の上方端面２３における傾斜面２３ａの先端２３ｂの位置を、オスザネ突条２２の先端２２ａよりも大きく床材本体側に後退した位置とする。【選択図】図１
2008240349.tif 000002
【特許請求の範囲】
【請求項１】
本ザネ接合するオスザネ部とメスザネ部を両辺に備え、オスザネ突条の上方端面およびメスザネ凹溝の上方端面に同方向に傾斜した傾斜面をそれぞれ形成している床材であって、オスザネ突条の上方端面における前記傾斜面の先端はオスザネ突条の先端よりも床材本体側に位置していることを特徴とする床材。
【請求項２】
オスザネ部のオスザネ突条の上方端面はオスザネ突条の下方端面よりも床材本体側に位置していることを特徴とする請求項１に記載の床材。
【請求項３】
請求項１または２に記載の床材の多数枚が本ザネ接合して床下地の上に敷き詰められている床構造。
【請求項４】
床暖房用の熱源を備えた床下地の上に床材が敷き詰められている請求項３に記載の床構造。
【発明の詳細な説明】
【技術分野】
【０００１】
本発明は床材および床構造に関し、特に、床材に収縮が生じても、隣接する床材間に隙間を生じさせないようにした形態の床材とその床材を用いた床構造に関する。
【背景技術】
【０００２】
木質材からなり、図２に示すように、本ザネ接合するオスザネ部とメスザネ部を両辺に備えた床材１は知られている（特許文献１等参照）。木質材からなる床材は、吸放湿による収縮を起こしやすい。特に、床下地とその上に敷き詰めた床材との間に電気ヒータや温水パイプである熱源を配置してなる床暖房構造においては、床材の収縮により隣接する床材１，１間の隙間Ｐが目立つようになりやすい。その傾向は、図２に例示するように、オスザネ突条２の上方端面３およびメスザネ凹溝４の上方端面５が垂直面とされている床材１では顕著であり、また、無垢材で作られる床材は、合板を基材とする床材よりも顕著となる。
【０００３】
それを回避するために、図２に示す形状の床材において、オスザネ突条２の上方端面３およびメスザネ凹溝４の上方端面５に同方向に傾斜した傾斜面をそれぞれ形成するようにした床材が提案されている（特許文献２等参照）。この形態の床材では、隣接する床材同士に収縮が生じても、オスザネ突条の傾斜した上方端面は、メスザネ凹溝の傾斜した上方端面上を移動することから、上から見たときに、オスザネ突条に達するような隙間が形成されることはなく、床構造の表面意匠性は長期間にわたり維持される。
【０００４】
【特許文献１】特開平１１−１４１１０９号公報
【特許文献２】特開２００４−１２４４６１号公報
【発明の開示】
【発明が解決しようとする課題】
【０００５】
図３は、上記したオスザネ突条２の上方端面３およびメスザネ凹溝４の上方端面５に同方向に傾斜した傾斜面をそれぞれ形成するようにした床材１ａの一例を示している。すなわち、この床材１ａにおいて、オスザネ突条２の上方端面３の一部がオスザネ突条２の先端側に向けて斜め上方に傾斜する傾斜面３ａとされており、また、メスザネ凹溝４の上方端面５の一部であって、前記オスザネ突条２の上方端面３における傾斜面３ａに対向する領域は、前記傾斜面３ａと同方向にほぼ同じ角度で傾斜した傾斜面５ａとされている。
【０００６】
従来知られているこの形態の床材において、前記オスザネ部側の傾斜面３ａの先端３ｂはオスザネ突条２の先端２ｂに達するか、図３に示すように、さらに距離ｓだけ前方に突き出ているのが通常である。
【０００７】
床材を床下地に敷き詰めるときに、メスザネ側を壁面である基準面に当てて固定し、そのようにして固定された床材のオスザネ側に、隣接する床材のメスザネ部を仮嵌合した姿勢として、その床材のオスザネ側に当て木を当てて叩き込むことが行われる。図３に示した既存の形態の床材１ａの場合、前記したように、前記オスザネ部側の傾斜面３ａの先端３ｂがオスザネ突条２の先端２ｂよりも距離ｓだけ前方に突き出ており、そのために、当て木として厚さの薄いものを用いないと、当て木を当てて床材１ａを叩き込むときに、傾斜面３ａの先端３ｂが宛て木と衝突して、破損することが起こる。その破損は床材表面にも波及して表面意匠を損なうので、回避することが望まれる。
【０００８】
オスザネ突条２の高さにまでしか達しない薄い当て木を用いれば、この不都合は回避できるが、叩き込み時の作業効率が大きく低下するので、実用的な解決策とはならない。このことは、前記オスザネ部側の傾斜面３ａの先端３ｂとオスザネ突条２の先端２ｂと同じ位置まで達している場合でも、同様に起こる。
【０００９】
本発明は、上記の事情に鑑みてなされたものであり、本ザネ接合するオスザネ部とメスザネ部を両辺に備え、オスザネ突条の上方端面およびメスザネ凹溝の上方端面に同方向に傾斜した傾斜面をそれぞれ形成している床材において、床下地への敷き込み時に、叩き込み時の作業効率を低下させることなく、かつオスザネ部側の傾斜面の先端に破損を生じさせないようにした床材を開示することを課題とする。また、前記床材を用いた床構造を開示することを課題とする。
【課題を解決するための手段】
【００１０】
本発明による床材は、本ザネ接合するオスザネ部とメスザネ部を両辺に備え、オスザネ突条の上方端面およびメスザネ凹溝の上方端面に同方向に傾斜した傾斜面をそれぞれ形成している床材であって、オスザネ突条の上方端面における前記傾斜面の先端はオスザネ突条の先端よりも床材本体側に位置していることを特徴とする（請求項１）。
【００１１】
この床材では、床下地面に敷き込むときに、オスザネ突条の先端を作業がしやすい高さの高い当て木を用いて叩き込む作業を行っても、当て木がオスザネ突条の上方端面に形成した傾斜面の先端に衝接することはなく、傾斜面先端に破損は生じない。そのために、床材表面の意匠性が損なわれることもない。
【００１２】
本発明による床材は、通常の床構造で用いる床材であってもよく、床暖房構造で用いる床材であってもよい。また、合板やＭＤＦ等の木質繊維板からなる基材と表面化粧層からなる床材であってもよく、無垢材からなる床材であってもよい。
【００１３】
本発明に係る床材の好ましい形態において、前記オスザネ部のオスザネ突条の上方端面はオスザネ突条の下方端面よりも床材本体側に位置するようにされる（請求項２）。この形態では、オスザネ突条の上面側での奥行き（先端から上方端面までの距離）が大きくなることに加え、前記上方端面の下方領域に切り欠かれた領域が存在しないことから、釘打ちによる床下地面への床材の仮固定が容易になる効果ももたらされる。
【００１４】
本発明は、さらに、上記の床材の多数枚が本ザネ接合して床下地の上に敷き詰められている床構造をも開示する（請求項３）。さらに、床暖房用の熱源を備えた床下地の上に前記床材が敷き詰められている床構造も開示する（請求項４）。これらの床構造では、床材を床下地へ敷き詰めるときに、床材は表面の意匠性を損なうことなく行われるので、表面意匠性の高い床構造が得られる。また、床材に収縮が生じた場合でも、隣接する床材間にオスザネ突条が目視できるような隙間が生じることはないので、高い表面意匠性は長期にわたり維持される。電気ヒータや温水パイプのような床暖房用の熱源を備えた床下地の上に上記床材を敷き詰めた場合、床材の膨張収縮は特に大きくなるが、この場合でも、高い表面意匠性を長期にわたり保持することができる。
【発明の効果】
【００１５】
本発明によれば、本ザネ接合するオスザネ部とメスザネ部を両辺に備え、オスザネ突条の上方端面およびメスザネ凹溝の上方端面に同方向に傾斜した傾斜面をそれぞれ形成している床材において、床下地への敷き込み時に、オスザネ部側の傾斜面の先端や床材表面に傷を付けることのない床材が得られる。
【発明を実施するための最良の形態】
【００１６】
以下、図面を参照しながら、本発明を実施の形態に基づき説明する。図１は、本発明による床材の一形態を短手方向の断面で示すとともに、その床材を床下地の上に敷き込むときの作業状態を示している。
【００１７】
この例において、床材１０は、基材合板２０とその表面に積層した化粧層である突板３０とで構成される。基材合板２０の周囲には、本ザネ接合するオスザネ部とメスザネ部が形成されており、図１では、長辺に沿って形成されたオスザネ部とメスザネ部とが図示されている。
【００１８】
オスザネ部は、基材合板２０の厚さ方向のほぼ中央に位置するオスザネ突条２２と、オスザネ突条２２の上方に位置するほぼ垂直な上方端面２３と、オスザネ突条２２の下方に位置するほぼ垂直な下方端面２４とで構成されており、この例において、前記上方端面２３は下方端面２４よりも距離ａだけ床材本体側に偏位している。
【００１９】
上方端面２３は、その上方側に、前記オスザネ突条２２の先端側に向けて斜め上方に傾斜する傾斜面２３ａを有しており、その先端２３ｂは、オスザネ突条２２の先端２２ａから距離ｂ（但し、距離ｂ＞距離ａ）だけ床材本体側に入り込んだ位置となっている。距離ｂは、床材の大きさにもよるが、３ｍｍ〜６ｍｍ程度の範囲であることが好ましい。前記傾斜面２３ａの先端２３ｂから上方は、床材本体側に斜め上方に傾斜する傾斜面２３ｃとされ、該傾斜面２３ｃが床材１０の表面にまで達している。
【００２０】
床材１のメスザネ部は、基材合板２０における前記オスザネ突条２２が嵌入できる形状であるメスザネ凹溝２６と、メスザネ凹溝２６の先端上方に位置するほぼ垂直な上方端面２７と、メスザネ凹溝２６の下方に位置するほぼ垂直な下方端面２８とで構成されており、下方端面２８は上方端面２７よりも床材本体側に偏位した位置となっている。
【００２１】
メスザネ凹溝２６の先端である上方端面２７は、その上方側に、前記オスザネ突条２２の上方端面２３に形成した傾斜面２３ａに対向する位置に、傾斜面２３ａと同方向にほぼ同じ角度で傾斜した傾斜面２７ａを有しており、傾斜面２７ａの上方端は床材１０の表面にまで達している。
【００２２】
この形態の床材１０、１０をオスザネ部とメスザネ部とを本ザネ接合した状態で隣接させると、一方の床材の前記メンザネ側の傾斜面２７ａの上にオスザネ側の傾斜面２３ａが乗った形となる。そのために、床材１０，１０に僅かな収縮が生じても、その収縮による前記傾斜面２３ａの先端２３ｂの移動は、メンザネ側の傾斜面２７ａ上での移動に制限されるので、隣接する床材１０，１０の間に、オスザネ突条２２の上面が目視できるような隙間が生じることはない。
【００２３】
上記床材を床下地４０の上に敷き詰めて床構造とするに当たり、最初に、床材１０のメスザネ側を裁断して垂直面としたボーダー床材１０Ａを作り、裏面に接着剤を塗布して、前記切断面を壁面に当接した状態とする。そして、オスザネ突条２２の上面と上方端面２３との交差部近傍から、釘４１を斜め下方に打ち込み、床材１０Ａを床下地に仮固定する。床下地面に接着剤を塗布しておいてもよい。本発明による床材においては、前記したように、オスザネ側の下方端面２４は上方端面２３よりも、オスザネ突条２２の先端側に偏位しており、前記釘打ち領域の下方近傍はすべて基材合板２０が占めている。そのために、釘打ちによる仮固定作業は容易である。
【００２４】
次に、固定したボーダー床材１０Ａを基準材とし、そのオスザネ側に隣接する床材１０を取り付ける。オスザネ部やメスザネ部に接着剤を塗布しておくこともできる。床材１０を床下地４０の上に置き、滑らせながらそのメスザネ凹溝２６とボーダー床材１０Ａのオスザネ突条２２とを一部が嵌合した姿勢とする。本ザネ接合の場合、メスザネ凹溝２６とオスザネ突条２２との間の摩擦力は大きく、手で押した程度では完全な接合状態が得られない。そのために当て木５０を用いて叩き込み作業が行われる。
【００２５】
叩き込みに際して、図１に示すように、当て木５０を床材１０のオスザネ突条２２の先端面２２ａに当接した状態とし、金槌等で当て木５０を叩き込む。それにより、床材１０はボーダー床材１０Ａに向けて移動していき、完全な本ザネ接合が得られる。前記したように、本発明による床材１０（あるいはボーダー床材１０Ａ）において、オスザネ突条２２の上方端面２３における傾斜面２３ａの先端２３ｂは、オスザネ突条２２の先端２２ａよりも距離ｂだけ床材本体側に入り込んだ位置となっており、当て木５０による叩き込み時に、前記傾斜面２３ａの先端２３ｂが当て木５０に衝接することはなく、傾斜面領域が破損することはない。結果として、床材表面の意匠性が損なわれることはない。
【図面の簡単な説明】
【００２６】
【図１】本発明による床材の一形態を短手方向の断面で示すとともに、その床材を床下地の上に敷き込むときの作業状態を示している。
【図２】本ザネ接合するオスザネ部とメスザネ部を両辺に備えた床材の接合状態を説明するための図。
【図３】オスザネ突条の上方端面およびメスザネ凹溝の上方端面に同方向に傾斜した傾斜面をそれぞれ形成するようにした床材の接合状態を説明するための図。
【符号の説明】
【００２７】
１０…床材、２０…基材合板、２２…オスザネ突条、２２ａ…オスザネ突条の先端、２３…オスザネ突条の上方端面、２３ａ…上方端面側の傾斜面、２３ｂ…傾斜面の先端、２４…オスザネ突条の下方端面、ｂ…オスザネ突条の先端と傾斜面の先端との距離、２６…メスザネ凹溝、２７…メスザネ凹溝の上方端面、２８…メスザネ凹溝の下方端面、２７ａ…上方端面の傾斜面、４０…床下地、４１…釘、５０…当て木
【図１】
2008240349.tif 000003
【図２】
2008240349.tif 000004
【図３】
2008240349.tif 000005